(57)【要約】      （修正有）【課題】外郭寸法および形状を従来品と同等に留めると共に、部品点数を最小限度に抑え、しかも度重なる落雷などの過酷な異常高電圧にも充分に耐え、電源接続する電気機器類を経済的且つ安全に雷サージから防護し、サージ消滅後は迅速に電源供給を復旧、安定化できる新たなサージ防護電源タップを提供する。【解決手段】コンセント分岐用刃受け部３，３，３の複数を適所に配置、形成してなるタップ外装体に対して家庭用ＡＣ電源用コンセントに接続・離脱自在な差込みプラグ４を直接一体化し、当該タップ外装体内であって、それら分岐用刃受け部３，３，３と該差込みプラグ４との間に、サージアブソーバー６およびバリスター７からなるサージ防護デバイス５を接続してなるサージ防護電源タップ１である。【選択図】図１
0003171193.tif 000002
【実用新案登録請求の範囲】
【請求項１】
交流電源コンセント分岐用刃受け部の１または複数を適所に配置、形成したタップ外装体に対し、直接一体化するか、または、所定長コードを介するかの何れか一方とし、家庭用ＡＣ電源用コンセントに接続・離脱自在な差込みプラグを設け、当該タップ外装体内であって、それら分岐用刃受け部と該差込みプラグとの間に、サージアブソーバーおよびバリスターを直列接続してなるサージ防護デバイスを、少なくとも１個、並列接続するようにしてなるものとしたことを特徴とするサージ防護電源タップ。
【請求項２】
交流電源コンセント分岐用刃受け部の１または複数を適所に配置、形成したタップ外装体に対し、直接一体化するか、または、所定長コードを介するかの何れか一方とし、家庭用ＡＣ電源用コンセントに接続・離脱自在な差込みプラグを設け、当該タップ外装体内であって、それら分岐用刃受け部と該差込みプラグとの間に、サージアブソーバーおよびバリスターを直列接続してなるサージ防護デバイスを、少なくとも１個、並列接続してなり、サージ防護デバイスサージアブソーバーで高電圧吸収スピードを確保すると共に、同サージ防護デバイスバリスターが、ＡＣ電源回路が低電圧になったまま回路電流が流れ込む放電続流現象を阻止可能とするようにしてなるものとしたことを特徴とするサージ防護電源タップ。
【請求項３】
タップ外装体が、複数のコンセント分岐用刃受け部を適所に配置、形成し、家庭用ＡＣ電源用コンセントに接続・離脱自在な差込みプラグを直接一体化してなるシングルタップか、またはマルチタップかの何れか一方としてなるものとした、請求項１または２何れか一方記載のサージ防護電源タップ。
【請求項４】
タップ外装体が、複数のコンセント分岐用刃受け部を適所に配置、形成し、所定長コードを介して家庭用ＡＣ電源用コンセントに接続・離脱自在な差込みプラグを設けるようにしたテーブルタップとしてなるものとした、請求項１または２何れか一方記載のサージ防護電源タップ。
【請求項５】
サージアブソーバーの許容電圧を１０，０００Ｖないし２０，０００Ｖ、耐電流を１００Ａないし２，０００Ａとし、バリスターのバリスター電圧を１００Ｖないし３７０Ｖ、サージ耐量を１０Ａないし７，０００Ａの範囲内に設定してなるものとした、請求項１ないし４何れか一項記載のサージ防護電源タップ。
【請求項６】
サージアブソーバーの許容電圧を１５，０００Ｖないし２０，０００Ｖ、耐電流を１５００Ａとし、バリスターの耐電流を１，７５０Ａ、耐電圧ＡＣ１００Ｖ以上対応に設定してなるものとした、請求項１ないし４何れか一項記載のサージ防護電源タップ。
【請求項７】
サージアブソーバーおよびバリスター夫々の素子部外径の最大値を各々２０ｍｍ未満、望ましくは１０ｍｍ以下としてなるものとした、請求項１ないし６何れか一項記載のサージ防護電源タップ。
【請求項８】
サージアブソーバー素子部外径の最大値を４ｍｍ以下、バリスター素子部外径の最大値を８ｍｍ以下としてなるものとした、請求項１ないし６何れか一項記載のサージ防護電源タップ。                                                                                      
【考案の詳細な説明】
【技術分野】
【０００１】
この考案は、配線用差込接続器周辺の雷サージ防護技術、および配線用差込接続器に接続した電気機器類を異常高電圧から保護可能とする技術に関連するものであり、特に、ＡＣ電源用コンセントに接続・離脱自在なシングルタップ、マルチタップ、テーブルタップなどのサージ防護機能を有する電源接続用機器類を製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                              
【背景技術】
【０００２】
（着目点）
エレクトロニクス技術の急速な発展に伴い、オフィスや工場はもとより、一般家庭の中にもパソコンや通信機器類を始めとする高密度実装化し、微弱電圧で動作する電子機器が広く普及しているが、近年、異常気象と云われる夏期の長期化と、高温、多湿化に起因し、各地で多発する落雷が、高圧配電線に直撃または誘導され、発生する雷サージは、瞬時に柱上変圧器を通過して低圧配電線がわに進入し、また、近傍落雷によって低圧配電線に誘導された雷サージが、家庭内配線に進入するなどして接続されている電気機器を破壊し、多大な損害を与えるという自然災害が頻発するようになってきている。
【０００３】
（従来の技術）
こうした状況を反映し、その打開策となるような提案もこれまでに散見されない訳ではない。
例えば、下記する特許文献１（１）に提案されているものに代表されるように、差込プラグとコンセントとの間に設けた第１のアレスター、および、電話接続端子とモジュラージャックとの間に設けた第２のアレスターの間に、雷サージ電圧をバイパスするバイパスラインを設け、電源用配線に接続する電気機器を落雷による被害から保護すると共に、通信回線に接続する通信機器をも落雷による被害から保護可能としてなるものや、同特許文献１（２）に見られるような、外部通信回線と接続する第１入出力モジュラージャック、回線中継機器のアナログ回線が接続する第２入出力モジュラージャック、および電源コンセントの各々を、所定の耐電圧を有するアレスターを介して相互接続し、電流通過型でありながら、回線中継機器を雷サージ電流から保護可能としてなるものなどが散見される。
【０００４】
しかし、前者特許文献１（１）および１（２）に示されているような商用電源用の電源接続用コンセントの機能に加え、通信回線接続用のモジュラージャックなどをも雷サージの保護対象としてなる雷サージ保安機器類は、パソコンやＦＡＸなどの通信機能を兼ね備えた電子機器類に用いるには有効であるが、通信回線接続ケーブルがわを保護するようにしているために部品点数が増加して大型化してしまい、勢い高価なものとなってしまうことから、通信機能を持たない電気機器類の電源接続用としては不向きであり、それら用とした場合には全く不経済なものになってしまうという致命的な欠点があった。                  
【特許文献１】（１）特開２０００−１０６２５５号公報    （２）特開２００１−３３９８４９号公報
【考案の概要】
【考案が解決しようとする課題】
【０００５】
（問題意識）
上述した如く、従前までに提案のある各種の雷サージ防護機能を付加した電源用タップ類は、何れも電源接続のみに留まらず通信回線の接続にも利用可能なものとしてあって部品点数が多く、複雑な電気回路を内蔵して大型化し、勢い高価なものとなってしまい、ユーザーに大きな経済的負担を強いるものとなっているばかりではなく、従来型の雷サージ防護機能を持たない電源用タップ類と交換、設置する場合に、従来品が収まっていたスペースに収まらず、止むなく周辺家具類や電気機器類などを移動させなければならないという事態を招いてしまう虞があり、店頭などにおける商品選択、購入までの判断を鈍らせてしまう原因を包含しているという課題が残るものであり、しかも、サージを受けてサージアブソーバーが放電し、サージアブソーバーの端子電圧が電源回路電圧以下に低下した場合には、サージ消滅後も電源回路から供給される電流によって放電を続けてしまう、所謂、放電続流を生じてしまい、正常な電源復旧を妨げてしまうという大きな欠点を有していることから、永年、様々なユーザーに対して電子機器類を提供し続ける業務に携わってきている者としては、オフィスや工場などに設置した多数のパソコンや電子機器類を落雷から保護しなければならない各企業や団体、学校、その他の施設などは勿論のこと、１家に複数台または１人で複数台のパソコンやその周辺機器、およびＦＡＸなどの各種電子機器類を利用するようになっている一般家庭などにあっても、各々離れた場所に設置してある１台毎の電子機器に雷サージ防護機能を有する電源用タップ類を設置しなければならないというのは、いかにも経済的負担が大きくなり過ぎ、よりシンプルで廉価にて各所に多用可能となるタップ類の１日も早い開発、商品化が必要であると痛感するに至った。
【０００６】
（考案の目的）
そこで、この考案は、外郭寸法および形状を従来品と同等程度に留めると共に、部品点数を最小限度に抑え、しかも度重なる落雷などの過酷な異常高電圧にも充分に耐え、電源接続する電気機器類を経済的且つ安全に雷サージから防護し、サージ消滅後は迅速に電源供給を復旧、安定化できる新たなサージ防護電源技術の開発はできないものかとの判断から、逸速くその開発、研究に着手し、長期に渡る試行錯誤と幾多の試作、実験とを繰り返してきた結果、今回、遂に新規な構造のサージ防護電源タップを実現化することに成功したものであり、以下では、図面に示すこの考案を代表する実施例と共に、その構成を詳述することとする。                                                                          
【課題を解決するための手段】
【０００７】
（考案の構成）
図面に示すこの考案を代表する実施例からも明確に理解されるように、この考案のサージ防護電源タップは、基本的に次のような構成から成り立っている。
即ち、交流電源コンセント分岐用刃受け部の１または複数を適所に配置、形成するようにしたタップ外装体に対し、直接一体化するか、または、所定長コードを介するかの何れか一方とし、家庭用ＡＣ電源用コンセントに接続・離脱自在な差込みプラグを設け、当該タップ外装体内であって、それら分岐用刃受け部と該差込みプラグとの間に、サージアブソーバーおよびバリスターを直列接続してなるサージ防護デバイスを、少なくとも１個、並列接続してなるものとした構成を要旨とするサージ防護電源タップである。
【０００８】
この基本的な構成からなるサージ防護電源タップは、その表現を変えて示すならば、交流電源コンセント分岐用刃受け部の１または複数を適所に配置、形成するようにしたタップ外装体に対し、直接一体化するか、または、所定長コードを介するかの何れか一方とし、家庭用ＡＣ電源用コンセントに接続・離脱自在な差込みプラグを設け、当該タップ外装体内であって、それら分岐用刃受け部と該差込みプラグとの間に、サージアブソーバーおよびバリスターを直列接続してなるサージ防護デバイスを、少なくとも１個、並列接続し、当該サージ防護デバイスサージアブソーバーで高電圧吸収スピードを確保すると共に、同サージ防護デバイスバリスターが、ＡＣ電源回路が低電圧になったまま回路電流が流れ込む放電続流現象を阻止可能とするようにしてなるものとした構成からなるサージ防護電源タップとなる。                                                                                                              
【考案の効果】
【０００９】
以上のとおりの構成からなるこの考案のサージ防護電源タップによれば、従前までのものとは違い、上記したとおりの固有の特徴ある構成から、サージアブソーバーのみを組み込んだ従来型の電源用タップ類が、サージ消滅後の放電続流を阻止できず、電源回路電圧を正常値に復旧できなくなるという大きな欠点を残すものであったが、サージ防護デバイスサージアブソーバーに直列接続したバリスターが、それらの問題を解消してサージ消滅直後から電源電圧を正常値に安定化し、電源接続した電気機器を支障なく、安全に利用し続けることができるようになるという、従来品では得ることのできなかった秀れた効果を発揮することができる。
【００１０】
加えて、当該サージ防護電源タップは、通信用のモジュラージャックなど、他の通信回路を持たず、電源回路にサージ防護デバイスのみを組み込むというシンプルな回路構成にしてあることから、電源用のサージ防護機能だけを希望する顧客のニーズに対して、過不足無く応えて経済的負担を大幅に軽減することができる上、タップ外装体が、シングルタップか、またはマルチタップかの何れか一方としてなるものは、奇抜なデザインや大型化を避けて従来品と同様の外郭形状、寸法に形成したものとすることができ、ユーザーが既存の電源タップ類と交換するときにも、設置スペースなどを思案せずとも安心して購入できるという利点が得られ、また、コードを有するテーブルタップとしてなるものは、コンセントから離れた場所に在る電気機器類の電源供給部にサージ防護機能を低コストで付加したものとすることができるという特徴が得られるものとなる。
【００１１】
サージアブソーバーの許容電圧を１０，０００Ｖないし２０，０００Ｖ、耐電流を１００Ａないし２，０００Ａとし、バリスターのバリスター電圧を１００Ｖないし３７０Ｖ、サージ耐量を１０Ａないし７，０００Ａの範囲内に設定してなるものとしたサージ防護電源タップは、雷サージの９０％以上が１０，０００Ｖ以下、電流１，０００Ａ以下という我が国内にて、電気機器類の電源回路からのサージ進入によるトラブルを９０％以上の高い確立で防護できるものとなり、さらに、サージアブソーバーの許容電圧を１５，０００Ｖないし２０，０００Ｖ、耐電流を１５００Ａとし、バリスターの耐電流を１，７５０Ａ、耐電圧ＡＣ１００Ｖ以上対応に設定してなるサージ防護電源タップによれば、日本国内で発生する雷サージの殆ど全てに対し、格段に確実に電気機器類を安全に保護可能にするという大きな効果を奏することとなる。
【００１２】
そして、サージアブソーバーおよびバリスター夫々の素子部外径の最大値を、各々２０ｍｍ未満、望ましくは１０ｍｍ以下のものとしてなるサージ防護電源タップは、従来型のシングルタップ、マルチタップ、テーブルタップなど、各種タップ外装体内に当該考案のサージ防護デバイスを支障無く組み込み、収納することができるものとなり、さらに、サージアブソーバー素子部外径の最大値を４ｍｍ以下、バリスター素子部外径の最大値を８ｍｍ以下のものとしたサージ防護電源タップにあっては、素子の干渉や発熱などの影響を最小限に留めて、より一層安定したサージ防護機能を発揮可能なものとすることができる利点が得られる。                                                                            
【考案を実施するための最良の形態】
【００１３】
上記したとおりの構成からなるこの考案の実施に際し、その最良もしくは望ましい形態について説明を加えることにする。
この考案のサージ防護電源タップは、１個の交流電源コンセントに対して１台および／または複数台の電気機器類の各電源用差込プラグを同時に接続可能とすると共に、該１個の交流電源コンセントから、それに接続した１台および／または複数台の電気機器類に、異常高圧電流が流入するのを防止可能とする機能を果たすものであり、例えば、シングルタップ、マルチタップまたはテーブルタップなどとすることが可能であり、何れの場合にも通信用回路を持たず、交流電源用の１系統の電気回路を有し、これにサージ防護デバイスを組み込んでなるものとしなければならず、該サージ防護デバイスをタップ外装体に内蔵してなるものとすべきである。
【００１４】
シングルタップは、１個の交流電源コンセントに対して１台の電気機器類を接続可能とする機能を有し、マルチタップは、１個の交流電源コンセントに対して複数台の電気機器類を同時に接続可能とする機能を持ち、テーブルタップは、１個の交流電源コンセントから任意の所定距離離れた位置にコンセント分岐用刃受け部を配置可能とする機能を担い得るものであり、例えば、後述する実施例に示すように、タップ外装体と差込みプラグとの間に所定長コードを有するようにしたものとすることができる。
【００１５】
タップ外装体は、電気絶縁性を確保し、交流電源コンセント分岐用刃受け部の１または複数を形成可能とし、直接か、または所定長コードを介するかして差込みプラグを形成可能とする上、サージ防護デバイスを内蔵可能とする機能を担い、従来型のシングルタップやマルチタップまたはテーブルタップなどと略同様の外観形状、寸法を呈するものとすべきである。
【００１６】
交流電源コンセント分岐用刃受け部は、１台および／または複数台の電気機器類の各電源用差込みプラグを機械的、電気的に接続・離脱自在とする機能を担い、例えば後述する実施例に示すように、一般的な家庭用１００Ｖコンセント（ＪＩＳ  Ｃ  ８３０３  ２極コンセント  １５Ａ１２５Ｖ）用のものとすることができる外、ＯＡ機器設置箇所などに使うアース端子付きコンセント（ＪＩＳ  Ｃ  ８３０３  ２極接地極付きコンセント１５Ａ１２５Ｖ）とすることができ、さらにまた、エアコン設置箇所などに用いる大容量コンセント（ＪＩＳ  Ｃ  ８３０３  ２極接地極付きコンセント２０Ａ１２５Ｖ）や２００Ｖエアコン設置箇所などに用いるコンセント（ＪＩＳ  Ｃ  ８３０３  ２極接地極付きコンセント２０Ａ２５０Ｖ）に対応するものなどとすることが可能であり、さらにまた、日本国以外の何れかの国の工業規格にも準じさせることができるものとなる。
【００１７】
差込みプラグは、電力供給用配線のコンセントに対して機械的、電気的に接続・離脱自在とし、接続状態にて電力供給用配線をタップ外装体の各分岐用刃受け部に電気的に接続、通電可能とする機能を担うものであり、タップ外装体に対して植設状に一体化したものとすることができる外、タップ外装体から導出した所定長コードの先端に抜き差し操作可能な把持部を形成し、該把持部から交流電源用の差込刃部を突設してなるものなどとすることができ、基本的に、後述する実施例に示すように、一般的な家庭用１００Ｖコンセント（ＪＩＳ  Ｃ  ８３０３  ２極コンセント  １５Ａ１２５Ｖ）用のものとすることができる外、ＯＡ機器設置箇所などに使うアース端子付きコンセント（ＪＩＳ  Ｃ  ８３０３  ２極接地極付きコンセント１５Ａ１２５Ｖ）とすることができ、さらにまた、エアコン設置箇所などに用いる大容量コンセント（ＪＩＳ  Ｃ  ８３０３  ２極接地極付きコンセント２０Ａ１２５Ｖ）や２００Ｖエアコン設置箇所などに用いるコンセント（ＪＩＳ  Ｃ  ８３０３  ２極接地極付きコンセント２０Ａ２５０Ｖ）に対応するものなどとすることが可能であり、さらにまた、日本国以外の何れかの国の工業規格に準じたものとすることが可能である。
【００１８】
サージ防護デバイスは、差込みプラグと各分岐用刃受け部との間に、誘導雷サージなどの異常高電圧、異常高電流が流入した場合に、充分な高電圧吸収スピードを確保すると共に、ＡＣ電源回路が低電圧になったまま回路電流が流れ込む放電続流現象を阻止可能とし、各分岐用刃受け部に接続した各種電気機器類を安全に保護可能とする機能を担い、各分岐用刃受け部と該差込みプラグとの間に、サージアブソーバーおよびバリスターを直列接続してなり、少なくとも１個、並列接続してなるものとしなければならない。
【００１９】
サージアブソーバーは、サージ防護デバイスの一部を形成し、各分岐用刃受け部と該差込みプラグとの間に、異常高電圧、異常高電流が流入した場合に、充分な高電圧吸収スピードを確保するという機能を担い、バリスターと直列接続してなるサージ防護デバイスを、各分岐用刃受け部と該差込みプラグとの間に、並列接続に組み込んでなるものとしなければならず、その許容電圧を１０，０００Ｖないし２０，０００Ｖ、耐電流を１００Ａないし２，０００Ａとすべきであり、より具体的には、許容電圧を１５，０００Ｖないし２０，０００Ｖ、耐電流を１５００Ａとしてなるものとするのが望ましく、従来型と同形状、寸法のタップ外装体内への収納性を考慮すると、素子部外径の最大値を２０ｍｍ未満、望ましくは１０ｍｍ以下のものとすべきであり、さらに、後述する実施例に示すように、素子部外径の最大値を４ｍｍ以下となるようにするのが望ましいと云える。
【００２０】
バリスターは、サージ防護デバイスの一部を形成し、各分岐用刃受け部と該差込みプラグとの間に、異常高電圧、異常高電流が流入した場合に、ＡＣ電源回路が低電圧になったまま回路電流が流れ込む放電続流現象を阻止可能とするという機能を担い、サージアブソーバーと直列接続してなるサージ防護デバイスを、各分岐用刃受け部と該差込みプラグとの間に、並列接続に組み込んだものとしなければならず、そのバリスター電圧を１００Ｖないし３７０Ｖ、サージ耐量を１０Ａないし７，０００Ａの範囲内に設定するようにすべきであり、より具体的には、耐電流を１，７５０Ａ、耐電圧ＡＣ１００Ｖ以上対応のものに設定してなるものとするのが望ましく、従来型と同形状、寸法のタップ外装体内への収納性を考慮すると、素子部外径の最大値を２０ｍｍ未満、望ましくは１０ｍｍ以下のものとすべきであり、さらに、後述する実施例に示すように、素子部外径の最大値を８ｍｍ以下としてなるものとするのが良いと云える。
以下では、図面に示すこの考案を代表する実施例と共に、その構造について詳述することとする。                                                                                                            
【図面の簡単な説明】
【００２１】
図面は、この考案のサージ防護電源タップの技術的思想を具現化した代表的な幾つかの実施例を示すものである。
【図１】サージ防護電源タップを示す回路図である。
【図２】マルチタップを示す平面図である。
【図３】マルチタップを示す正面図である。
【図４】マルチタップを示す側面図である。
【図５】マルチタップ内部のサージ防護デバイスを示す正面図である。
【図６】テーブルタップ内部のサージ防護デバイスを示す平面図である。
【図７】サージ源波形を示すグラフである。
【図８】応答速度波形を示すグラフである。
【図９】バリスターの応答速度波形を示すグラフである。
【図１０】サージ防護デバイスの応答速度波形を示すグラフである。
【実施例１】
【００２２】
図１ないし図１０に示す事例は、コンセント分岐用刃受け部３，３，３の複数を適所に配置、形成したタップ外装体２に対し、家庭用ＡＣ電源用コンセントに接続・離脱自在な差込みプラグ４を直接一体化するようにし、該タップ外装体２内であって、それら分岐用刃受け部３，３，３と該差込みプラグ４との間に、サージアブソーバー６およびバリスター７からなるサージ防護デバイス５を接続してなるものとした、この考案のサージ防護電源タップにおける代表的な一実施例を示すものである。
【００２３】
図１ないし図５からも明確に把握できるとおり、この考案のサージ防護電源タップ１は、合成樹脂製タップ外装体２の左右側壁２０，２０および天面壁２１の夫々にコンセント分岐用刃受け部３，３，３を配置、形成し、底面壁２２に家庭用ＡＣ電源用コンセント（ＪＩＳ  Ｃ  ８３０３  ２極コンセント  １５Ａ１２５Ｖ）に接続・離脱自在な差込みプラグ４を突設、一体化してなるマルチタップ１としてあり、図１および図５に示してあるように、それら分岐用刃受け部３，３，３と該差込みプラグ４との間に、サージアブソーバー６およびバリスター７を直列接続してなるサージ防護デバイス５を並列接続し、当該タップ外装体２内に内蔵してある。
【００２４】
サージ防護デバイス５サージアブソーバー６は、耐電圧１５，０００Ｖ以上、耐電流１，５００Ａで、素子部外径がΦ２．６ｍｍ×４ｍｍのものを用い、バリスター７は、耐電流１，７５０Ａ、ＡＣ１００Ｖ対応電圧品で、素子外径がΦ８×３ｍｍのものを用い、当該サージ防護デバイス５をタップ外装体２内に組み込み可能な寸法のものとしてあり、より具体的には、サージアブソーバー６が、桜電子株式会社製  ＮＶＰ−３０１・２．６Φ（３００Ｖ・１，５００Ａ）またはＮＶＰ−３０１・３．１Φ（３００Ｖ・３，０００Ａ）、バリスター７が、桜電子株式会社製  ＣＮＲ−０７Ｖ２７１Ｋ（２７０Ｖ・１，７５０Ａ）またはＣＮＲ−１４Ｖ２７１（２７０Ｖ・６，０００Ａ）を採用してなるものとすることができる。
【００２５】
図６に示すように、当該サージ防護電源タップ１は、複数のコンセント分岐用刃受け部３，３，３を天面に配列、形成したタップ外装体２から所定長コード４０を介して家庭用ＡＣ電源用コンセントに接続・離脱自在な差込みプラグ４を設けてなるテーブルタップ１とすることができ、該タップ外装体２内に、それら分岐用刃受け部３，３，３と該差込みプラグ４コード４０との間に、サージアブソーバー６およびバリスター７を直列接続してなるサージ防護デバイス５を１個、並列接続してなるものとしてある。
【００２６】
（実施例１の作用・効果）
以上のとおりの構成からなるこの考案のサージ防護電源タップ１は、図２ないし図４に示すように、現在市販されているものと同じ外郭形状、寸法のタップ外装体２を有するマルチタップとしてあることから、家庭やオフィスなどで、これまで使用していたマルチタップと、設置スペースや接続ミスなどの支障を生ずることなく簡単且つ安全に交換することができ、こうした交換作業性の良さは、図６に示した、テーブルタップ型のものとした場合にも、従来型のテーブルタップと簡便に交換、利用できるものになるという利点が得られる。
【００２７】
そして、当該サージ防護電源タップ１に内蔵したサージ防護デバイス５サージアブソーバー６に対し、図７に示すようなサージ原波形であって、立ち上がり時間１．２μｓｅｃ、５０％までの放電時間５０μｓｅｃ、到達電圧１０ＫＶのパルス波を印加し、応答開始電圧、規格電圧までの到達時間（今回の場合は３００Ｖとした）を測定した結果、図８および下記表１に示すように、（電圧レベル差が大きいので、印加波形と放電波形とを別々に測定した）ＮＶＰ−３０１・３．１は、応答開始電圧７００．６Ｖ、規格電圧までの到達時間０．６μｓｅｃを得た。
【００２８】
【表１】
0003171193.tif 000003
【００２９】
また、図９および下記表２に示すとおり、立ち上がり時間８μｓｅｃ、５０％までの放電時間２０μｓｅｃ、到達電圧１０００Ｖのパルス波を印加し、応答開始電圧、規格電圧までの到達時間（今回の場合は３００Ｖとした）を測定した結果、応答開始電圧３８５．２Ｖ、規格電圧までの到達時間０．３μｓｅｃが得られた。
【００３０】
【表２】
0003171193.tif 000004
【００３１】
当該サージ防護電源タップ１に内蔵したサージ防護デバイス５バリスター７（ＣＮＲ−１４Ｖ２７１）に対し、立ち上がり時間８μｓｅｃ、５０％までの放電時間２０μｓｅｃ、到達電圧１０００Ｖのパルス波を印加し、応答開始電圧、規格電圧までの到達時間（今回の場合は５０００Ｖとした）を測定した結果、図１０および下記表３に示しているように、応答開始電圧３９６．０Ｖ、規格電圧までの到達時間０．０μｓｅｃを得た。
【００３２】
【表３】
0003171193.tif 000005
【００３３】
さらに、下記表４に示すように、当該サージ防護デバイス５バリスター７（ＣＮＲ−１４Ｖ２７１）は、実験によって、立ち上がり時間８μｓｅｃ、５０％までの放電時間２０μｓｅｃ（８×２０μｓｅｃ）６，０００Ａは１回で破壊し、８００Ａでは１００回までの耐久性を有し、１．２×５０μｓｅｃは、２，６００Ａ１回で破壊し、３９０Ａで１００回まで耐え、１０×２００μｓｅｃは、７００Ａ１回で破壊し、１３０Ａで１００回まで耐え、１０×７００μｓｅｃは、２１０Ａ１回で破壊し、４７Ａで１００回まで耐え、１０×１，０００μｓｅｃは、１６０Ａ１回で破壊し、３７Ａで１００回まで耐えことを確認し、この結果に基づき、該バリスター７とサージアブソーバー６とを直列接続してなるサージ防護デバイス５は、我が国内における９０％以上の雷サージに半永久的に耐え得る性能を有するものであることが確認できた。
【００３４】
【表４】
0003171193.tif 000006
【００３５】
このような実験の結果、当該サージアブソーバー６（桜電子株式会社製  ＮＶＰ−３０１・３．１Φ）、および、バリスター７（桜電子株式会社製  ＣＮＲ−１４Ｖ２７１）を直列接続してなるサージ防護デバイス５は、耐電圧１０，０００Ｖ以上、耐電流３，０００Ａとなり、雷サージに充分に耐えるものとなり、また、サージアブソーバー６は、ノイズが乗らないから劣化しにくい特性があり、仮に劣化した場合、故障モードではオープンとなり、高い安全性を確保することができるという特徴を有している。
【００３６】
（結  び）
叙述の如く、この考案のサージ防護電源タップは、その新規な構成によって所期の目的を遍く達成可能とするものであり、しかも製造も容易で、従前からの電源用タップ類の雷サージ防護技術に比較し、通信用のモジュラージャックなどの通信回線用回路を一切廃して部品点数を大幅に削減すると共に、耐久性を大幅に高め、軽量且つ低廉化して遥かに経済的なものとすることができる上、アナログ回線やＩＳＤＮ（Ｉｎｔｅｇｒａｔｅｄ  Ｓｅｒｖｉｃｅｓ  Ｄｉｇｉｔａｌ  Ｎｅｔｗｏｒｋ）などの通信機能を持たない電気機器類の電源だけを接続するのに最も適したものとすることができるから、通信機能を持たない一般的な家電製品を主流とする一般家庭は固よりのこと、複数の事務用機器類について雷サージ防護を施したい事務所や工場などといった一般家庭外の分野においても高く評価され、広範に渡って利用、普及していくものになると予想される。                                      
【符号の説明】
【００３７】
１      サージ防護電源タップ
２      タップ外装体
３      コンセント分岐用刃受け部
４      差込みプラグ
４０    同  コード
５      サージ防護デバイス
６      サージアブソーバー
７      バリスター                                                                                              
【図１】
0003171193.tif 000007
【図２】
0003171193.tif 000008
【図３】
0003171193.tif 000009
【図４】
0003171193.tif 000010
【図５】
0003171193.tif 000011
【図６】
0003171193.tif 000012
【図７】
0003171193.tif 000013
【図８】
0003171193.tif 000014
【図９】
0003171193.tif 000015
【図１０】
0003171193.tif 000016